(57)【要約】【課題】利用者が、数字キー等の入力キーを用いて入力するときの入力キー種別の誤検出を防止する手段を提供する。【解決手段】自動取引装置が、表示した操作キーを含む取引画面から利用者による操作入力を受付ける操作表示部と、前記操作表示部に表示した通常の取引画面から利用者が指触により前記操作キーを押下したときに、当該指触による接触面積を算出する算出部と、を備え、前記算出部で算出した接触面積が、所定の閾値を超えている場合は、入力キーの表示を通常の取引画面とは異なる表示とする。【選択図】        図７
2019061599.tif 000002
【特許請求の範囲】
【請求項１】
表示した操作キーを含む取引画面から利用者による操作入力を受付ける操作表示部と、
前記操作表示部に表示した通常の取引画面から利用者が指触により前記操作キーを押下したときに、当該指触による接触面積を算出する算出部と、を備え、
前記算出部で算出した接触面積が、所定の閾値を超えている場合は、入力キーの表示を通常の取引画面とは異なる表示とすることを特徴とする自動取引装置。
【請求項２】
請求項１に記載の自動取引装置において、
前記通常の取引画面とは異なる表示は、入力キーの大きさの拡大表示であることを特徴とする自動取引装置。
【請求項３】
請求項２に記載の自動取引装置において、
前記入力キーの拡大表示は、枠のみを拡大し、表示文字は通常と同等の大きさとすることを特徴とする自動取引装置。
【請求項４】
請求項１に記載の自動取引装置において、
前記通常の取引画面とは異なる表示は、入力キーの大きさを通常と同等とし、前記入力キー間の表示間隔を拡大して表示することであることを特徴とする自動取引装置。
【請求項５】
請求項１ないし請求項４のいずれか一項に記載の自動取引装置において、
前記操作表示部に表示した通常の取引画面は、入力キーを含む取引画面の表示より前に表示した取引画面であることを特徴とする自動取引装置。
【発明の詳細な説明】
【技術分野】
【０００１】
本発明は、金融機関の店舗に設置され、利用者との現金による取引を自動で行う現金自動預払機等の自動取引装置に関する。
【背景技術】
【０００２】
従来の自動取引装置は、入力された暗証番号が不一致のときの再入力時に、暗証番号入力画面に表示する数字キーを拡大して表示している（例えば、特許文献１参照。）。
【先行技術文献】
【特許文献】
【０００３】
【特許文献１】特開平１０−１０５５１５号公報（段落０００９、第１図）
【発明の概要】
【発明が解決しようとする課題】
【０００４】
一般に、手袋や絆創膏の装着、農業従事者等の逞しい指等による太い指で、数字キー等を押下しようとすると、キーを正確に押下できない場合があり、押下された位置の誤検出によって誤入力となってしまう場合がある。
上述した従来の技術においては、暗証番号が不一致のときの再入力時に、数字キーを拡大して表示しているため、誤検出によって暗証番号が不一致となった場合でも、入力を２回行う必要があり、暗証番号等の入力に時間を要するという問題がある。
本発明は、上記の問題点を解決するためになされたもので、利用者が、数字キー等の入力キーを用いて入力するときの入力キー種別の誤検出を防止する手段を提供することを目的とする。
【課題を解決するための手段】
【０００５】
本発明は、上記課題を解決するために、自動取引装置が、表示した操作キーを含む取引画面から利用者による操作入力を受付ける操作表示部と、前記操作表示部に表示した通常の取引画面から利用者が指触により前記操作キーを押下したときに、当該指触による接触面積を算出する算出部と、を備え、前記算出部で算出した接触面積が、所定の閾値を超えている場合は、入力キーの表示を通常の取引画面とは異なる表示とすることを特徴とする。
【発明の効果】
【０００６】
これにより、本発明は、利用者が入力キーを用いて入力するときの指触による押下を円滑にして入力キー種別の誤検出を防止することができろという効果が得られる。
【図面の簡単な説明】
【０００７】
【図１】実施例１の現金自動預払機を示すブロック図
【図２】実施例１の現金自動預払機を示す斜視図
【図３】実施例１の拡大表示処理を示すフローチャート
【図４】実施例１の取引選択画面の表示例を示す説明図
【図５】実施例１の取引選択画面による操作例を示す説明図
【図６】実施例１の通常の暗証番号入力画面の表示例を示す説明図
【図７】実施例１の拡大された暗証番号入力画面の表示例を示す説明図
【図８】実施例２の拡大された暗証番号入力画面の表示例を示す説明図
【発明を実施するための形態】
【０００８】
以下に、図面を参照して本発明による自動取引装置の実施例について説明する。
【実施例１】
【０００９】
以下に、図１ないし図７を用いて本実施例の現金自動預払機について説明する。
本実施例の自動取引装置としての現金自動預払機１は、銀行等の金融機関の支店や、コンビニエンスストア等の店舗に設置され、金融機関に設置された、上位装置としてのホストコンピュータ２と電話回線や専用回線等の通信回線を介して接続されており、利用者との間での現金を用いた取引処理を自動で行う機能等を有しており、図１、図２に示す構成を備えている。
【００１０】
ホストコンピュータ２は、店舗に設置されている現金自動預払機１と通信回線を介して接続しており、口座開設者である顧客を個別に識別するための顧客ＩＤに対応させて顧客の口座の店番号、口座番号等の口座情報やその暗証番号、口座残高の顧客情報を保有して顧客の口座を管理する機能等を有している。
【００１１】
現金自動預払機１の制御部３は、通信回線を介してホストコンピュータ２と接続しており、現金自動預払機１内の各部を制御して各種の取引処理等を実行すると共に、ホストコンピュータ２との間の相互通信等を制御する機能等を有している。
記憶部４は、制御部３が実行するプログラムやそれに用いる各種のデータおよび制御部３による処理結果等が格納される。
【００１２】
操作表示部５は、現金自動預払機１の前面に設けられ、ＬＣＤ等の表示画面５ａ（図２参照）と表示画面５ａ上に設けられたタッチパネル等の入力手段等を備えており、表示画面５ａに取引選択画面や入力画面、利用者の処置を促す画面等の各種の取引画面を表示する機能を有すると共に、入力手段により利用者による選択入力等の操作入力を受付ける機能を有している。
【００１３】
本実施例のタッチパネルは、複数の赤外線ビームを所定のピッチで格子状に配列した赤外線方式のタッチパネルであって、利用者が指等で画面を指触により押下した位置を、指等により遮られた縦横の赤外線ビームの位置で検出する機能を有している。
本実施例のタッチパネルの赤外線ビームの所定のピッチは、例えば、縦横それぞれ０．３７５ｍｍに設定されている。
【００１４】
カード取扱部６は、カード挿入口６ａから挿入された利用者のキャッシュカードやクレジットカード等の取引カードの磁気ストライプやＩＣチップ等に記録されているカード情報を読み書きする機能、レシート用紙に取引内容等を印刷した明細票を発行する機能、取引終了時に、取引カードや明細票をカード挿入口６ａから排出して利用者に引渡す機能等を有している。
【００１５】
通帳取扱部７は、通帳挿入口７ａから挿入された利用者の通帳の磁気ストライプ等に記録されている通帳情報を読み書きする機能、取引内容等を利用者の通帳に記帳する機能、取引終了時に、挿入された通帳を通帳挿入口７ａから排出して利用者に返却する機能等を備えている。
【００１６】
紙幣入出金部８は、入金取引時等に紙幣入出金口８ａによって利用者が投入した紙幣を受入れ、これを鑑別および計数して収納庫に収納し、出金取引時等に利用者により指定された金額等に相当する紙幣を収納庫から繰出して計数し、これを紙幣入出金口８ａに集積して利用者に排出する機能等を有している。
【００１７】
硬貨入出金部９は、入金取引時等に硬貨入出金口９ａによって利用者が投入した硬貨を受入れ、これを鑑別および計数して収納庫に収納し、出金取引時等に利用者により指定された金額等に相当する硬貨を収納庫から繰出して計数し、これを硬貨入出金口９ａに集積して利用者に排出する機能等を有している。
【００１８】
算出部１１は、表示した、取引種別選択キー等の操作キーを含む取引画面から、利用者が指触により操作キー等を押下したときに、当該指触による接触痕１３（図５参照）の外接矩形の面積（接触面積１５という。）をタッチパネルからの出力を用いて算出する機能を有するソフトウェアと制御部３により形成された機能手段である。
【００１９】
上記の現金自動預払機１の記憶部４には、利用者が所望する取引の操作入力を受付け、これを基にホストコンピュータ２と交信して利用者との取引処理を自動で行う機能等を有する通常の取引処理プログラムに、手袋の装着等による太い指で取引画面の操作キーを指触すると判定したときに、数字、ひらがな、カタカナ、漢字、アルファベット等の文字を入力するための入力キーを拡大して表示する拡大表示処理を行うためのアプリケーションプログラム等が追加された業務処理プログラムが予め格納されており、制御部３が実行する業務処理プログラムのステップにより本実施例の現金自動預払機１の各機能手段が形成される。
【００２０】
また、記憶部４には、取引画面を指触した物が、素手であるか否かを接触面積１５を用いて判定するための所定の閾値が予め設定されて格納されている。
本実施例の所定の閾値は、例えば、接触面積１５で１００ｍｍ２に設定されている。
更に、記憶部４には、入力キーを拡大表示するか否かの判定に用いる表示フラグを格納するための表示フラグ格納エリアが予め設定されている。
【００２１】
本実施例では、表示フラグが「０」のときは、文字を入力するための入力キーは、通常の大きさで表示され、表示フラグが「１」のときは、文字を入力するための入力キーは、拡大して表示される。
【００２２】
以下に、図３に示すフローチャートを用い、Ｓで示すステップに従って本実施例の拡大表示処理について出金取引処理を例に説明する。
金融機関の店舗の係員が、始業時等に現金自動預払機１へ電源を投入すると、現金自動預払機１の記憶部４に格納されている業務処理プログラムが自動的に起動される。
このとき、記憶部４の表示フラグ格納エリアの表示フラグは「０」に設定されている。
【００２３】
Ｓ１：業務処理実行プログラムが起動すると、現金自動預払機１の制御部３は、操作表示部５の表示画面５ａに、図４に示す、取引画面としての、通常の取引選択画面を表示して待機する。
【００２４】
取引選択画面には、操作キーの押下を促す旨の文言と入金取引のための「お預入れ」キーおよび出金取引のための「お引出し」キー、振込取引のための「お振込み」キー、口座残高を照会するための「残高照会」キー、暗証番号を変更するための「暗証番号変更」キー等の取引種別を選択するための操作キー、弱視等の視覚障害者のために表示される全ての文字を大きく表示するための「表示拡大」キー等の取引画面の表示方法を選択するための操作キー等が表示される。
本実施例では、利用者は取引種別として出金取引を選択し、操作表示部５の表示画面５ａからタッチパネルによって「お引出し」キーを押下する。
【００２５】
Ｓ２：タッチパネルからの出力信号により指触位置を検出して、利用者が選択した取引を出金取引と認識した制御部３は、算出部１１にタッチパネルからの出力信号を送出して接触面積１５を算出する。
すなわち、算出部１１は、図５に示すように、タッチパネルからの出力信号によって、遮光された赤外線ビームの縦横それぞれのビーム数を計数して指等により遮光された領域を検出し、それぞれのビーム数から「１」を減じた数にピッチを乗じ、これら縦横を乗じて接触面積１５を算出し、算出した接触面積１５を制御部３へ送出する。
【００２６】
Ｓ３：算出部１１で算出された接触面積１５を取得した制御部３は、記憶部４から所定の閾値を読出し、算出された接触面積１５が、読出した閾値（本実施例では、１００ｍｍ２）以下の場合は、素手で操作していると判定してステップＳ５へ移行する。
算出された接触面積１５が、読出した閾値を超えている場合は、手袋の装着等による太い指で操作していると判定してステップＳ５へ移行する。
【００２７】
Ｓ４：取引画面の操作が太い指でされていると判定した制御部３は、記憶部４の表示フラグ格納エリアの表示フラグを「１」に書換えてステップＳ５へ移行する。
【００２８】
Ｓ５：取引画面の操作が素手でされていると判定した、または表示フラグを「１」に書換えた制御部３は、操作表示部５の表示画面５ａに取引カードの挿入を促す旨の文言等を表示した、通常の取引画面である取引カード挿入依頼画面を表示し、利用者はこれに従って取引カードをカード取扱部６のカード挿入口６ａに挿入する。
このとき、制御部３はカード取扱部６によって、取引カードに記録されている顧客ＩＤ等のカード情報を読取り、読取ったカード情報を記憶部４に一時保存する。
【００２９】
Ｓ６：カード情報を読取った制御部３は、記憶部４の表示フラグ格納エリアを参照して、表示フラグが「０」の場合はステップＳ７へ移行する。表示フラグが「１」の場合はステップＳ９へ移行する。
【００３０】
Ｓ７：表示フラグが「０」であることを認識した制御部３は、操作表示部５の表示画面５ａに、図６に示す通常の暗証番号入力画面を表示する。
【００３１】
図６に示す通常の暗証番号入力画面には、暗証番号の入力を促す旨の文言等および暗証番号表示欄とその入力のための数字キーからなる入力キーや入力の間違いを訂正するための「←」キー等が通常のサイズで表示される。
この場合に表示される１から０までの数字キーは、例えば、１２ｍｍ角で、数字キー間の表示間隔は、６ｍｍで表示される。
【００３２】
利用者は数字キー等によって暗証番号を入力する。このとき、数字キーを押し違えた場合は「←」キーを押下することにより１桁ずつ入力値を訂正することができる。
このとき、制御部３は、指触により押下されたそれぞれの数字キーの数字キー種別を、タッチパネルからの出力信号による指触位置で検出し、複数の数字からなる暗証番号を認識する。
【００３３】
利用者により入力された暗証番号を認識した制御部３は、本人確認のために、カード情報と入力された暗証番号をホストコンピュータ２へ送信し、ホストコンピュータ２は、受信したカード情報の顧客ＩＤを基に顧客情報を検索して該当する顧客情報を特定し、顧客情報の暗証番号と受信した暗証番号とを照合し、その一致、不一致を送信元の現金自動預払機１の制御部３へ通知し、制御部３は受信した通知が不一致の場合は、暗証番号入力画面を再表示して、所定の回数、例えば２回の再入力を受付け、再入力された暗証番号が所定の回数を超えても一致しない場合は、取引カードをカード挿入口６ａから排出して出金取引処理を終了させ、ステップＳ１へ戻って操作表示部５の表示画面５ａに取引選択画面を表示して待機する。
【００３４】
Ｓ８：入力された暗証番号の一致により利用者の本人確認がなされたことを認識した制御部３は、操作表示部５の表示画面５ａに通常の出金金額入力画面を表示する。
【００３５】
出金金額入力画面には、出金金額の入力を促す旨の文言等および出金金額表示欄とその入力のための数字キー、金額の単位を入力するための「万」「千」「円」等の漢字キーや入力の間違いを訂正するための「←」キー等が表示される。
利用者は数字キーや漢字キー等によって出金金額を入力して「円」キーを押下する。
「円」キーの押下により入力された出金金額を認識した制御部３はステップＳ１１へ移行する。
【００３６】
Ｓ９：表示フラグが「１」であることを認識した制御部３は、操作表示部５の表示画面５ａに、図７に示す拡大された暗証番号入力画面を表示する。
【００３７】
図７に示す拡大された暗証番号入力画面には、通常画面と同じサイズで暗証番号の入力を促す旨の文言等および暗証番号表示欄が表示され、暗証番号の入力のための数字キーからなる入力キーは拡大表示され、入力の間違いを訂正するための「←」キー等の記号キーも拡大表示される。
【００３８】
この場合に表示される数字キーおよび記号キーの大きさは、例えば、２４ｍｍ角で、数字キー間の表示間隔は、６ｍｍで表示される。
また、数字キー等で拡大されるのは、枠のみであり、中央に表示する数字等の表示文字は、拡大せずに通常と同じサイズで表示される。
【００３９】
このようにすれば、背後等から暗証番号の入力を覗き見されることを防止することができると共に、利用者が、中央に表示した通常サイズの数字を狙って指触する可能性が高くなり、タッチパネルによる指触位置の誤検出をより確実に防止することができる。
利用者は、拡大された数字キー等によって暗証番号を入力する。この場合に、数字キーを押し違えた場合は「←」キーを押下することにより１桁ずつ入力値を訂正することができる。
【００４０】
このとき、本実施例の拡大された暗証番号入力画面の数字キーは、その表示領域が拡大されているので、制御部３は、指触により押下されたそれぞれの数字キーの数字キー種別を、タッチパネルからの出力信号による指触位置で検出するときに、数字キーの表示領域に、接触痕１３の外接矩形が含まれる可能性が高まり、その指触を当該数字キーの押下と判定することが容易になり、数字キー種別の誤検出を防止して、複数の数字からなる暗証番号をより正確に認識することができる。
【００４１】
その後の認識された暗証番号による本人確認の処理動作は、上記ステップＳ７と同様であるので、その説明を省略する。この場合に、再表示される暗証番号入力画面は、図７に示した、拡大された暗証番号入力画面である。
【００４２】
Ｓ１０：入力された暗証番号の一致により本人確認がなされたことを認識した制御部３は、操作表示部５の表示画面５ａに拡大された出金金額入力画面を表示する。
【００４３】
拡大された出金金額入力画面には、通常画面と同じサイズで出金金額の入力を促す旨の文言等および出金金額表示欄が表示され、金額を入力のための数字キー、「万」「千」「円」等の漢字キーからなる入力キーは拡大表示され、入力の間違いを訂正するための「←」キーも拡大表示される。
【００４４】
入力キーの表示サイズ、表示間隔、数字、漢字等の表示文字の表示方法は、図７に示した、拡大された暗証番号入力画面と同様である。
利用者は、拡大された数字キーや漢字キー等によって出金金額を入力して「円」キーを押下する。
「円」キーの押下により入力された出金金額を認識した制御部３は、ステップＳ１１へ移行する。
【００４５】
Ｓ１１：出金金額の入力を受付けた制御部３は、ホストコンピュータ２との間で出金取引の交信処理を行う。
すなわち、制御部３は操作表示部５の表示画面５ａにしばらくの間の待機を促す旨の文言等を表示した待機依頼画面を表示すると共に、カード情報と入力された出金金額等を、通信回線を介してホストコンピュータ２へ送信する。
【００４６】
これを受信したホストコンピュータ２は、受信したカード情報の顧客ＩＤを基に顧客情報を検索して該当する顧客情報を特定し、その口座残高に不足がない場合は、当該顧客情報の口座残高を更新し、取引許可の旨の通知を送信元の現金自動預払機１へ通信回線を介して送信する。この通知を受信した現金自動預払機１の制御部３は、出金取引の交信処理を終了させる。
【００４７】
Ｓ１２：取引許可の旨の通知を受信した制御部３は、出金処理を実行する。
すなわち、制御部３は操作表示部５の表示画面５ａに出金処理を行う旨の文言等を表示すると共に、入力された出金金額に相当する現金を紙幣入出金部８および硬貨入出金部９からそれぞれ計数して繰出し、これを紙幣入出金口８ａや硬貨入出金口９ａに集積して一時待機させる。
これと並行して、制御部３は取引内容等を基に印刷データを作成し、これをカード取扱部６へ送って明細票を印刷する。
【００４８】
Ｓ１３：現金の集積および明細票の印刷を終えた制御部３は、操作表示部５の表示画面５ａに、現金や取引カード、明細票の受取りを促す旨の文言等を表示した現金等受取依頼画面を表示し、紙幣入出金口８ａおよび硬貨入出金口９ａを開放して一時待機させていた現金を利用者に排出すると共に、取引カードや明細票をカード挿入口６ａから排出する。
【００４９】
Ｓ１４：現金等を排出した制御部３は、利用者が、現金等を受取るのを待って待機し、利用者が現金等の全てを受取ったことを確認したときにステップＳ１５へ移行する。利用者が現金等の全てを受取っていない場合は、前記の待機を継続する。
【００５０】
Ｓ１５：利用者が現金等の全てを受取ったことを確認した制御部３は、記憶部４の表示フラグ格納エリアの表示フラグを「０」に書換えて今回の出金取引処理を終了させ、ステップＳ１へ戻って操作表示部５の表示画面５ａに取引選択画面を表示して待機する。
このようにして、本実施例の現金自動預払機１による拡大表示処理が実行される。
【００５１】
以上説明したように、本実施例では、最初に表示した通常の取引選択画面から利用者が、所望の取引種別を表示した操作キーを指触により押下したときに、操作表示部５に設けたタッチパネルからの出力信号を基に当該指触による接触面積１５を算出し、算出した接触面積１５が、所定の閾値を超えている場合は、利用者が、手袋の装着等による太い指で操作していると判定して、暗証番号入力画面や出金金額入金画面等に表示する、数字キー、漢字キー等の文字キーからなる入力キーを拡大して表示するので、利用者が数字キー等の入力キーを用いて入力するときの指触による押下を円滑にして入力キー種別の誤検出を防止することができ、利用者の利便性を向上させることができると共に、現金自動預払機１の稼働率の向上を図ることができる。
【００５２】
また、入力キーを拡大表示するときに、枠のみを拡大し、中央に表示する数字等の表示文字は、拡大せずに通常と同じサイズで表示するので、背後等から暗証番号等の入力を覗き見されることを防止することができると共に、利用者が、中央に表示した通常サイズの数字を狙って指触する可能性を高めて、タッチパネルによる指触位置の誤検出を防止することができる。
【実施例２】
【００５３】
以下に、図８を用いて本実施例の現金自動預払機について説明する。なお上記実施例１と同様の部分は、同一の符号を付してその説明を省略する。
本実施例の現金自動預払機１の構成、および拡大表示処理の処理動作は、上記実施例１の場合と同様であるので、その説明を省略する。
【００５４】
この場合に、ステップＳ９において、操作表示部５の表示画面５ａに表示される、拡大された暗証番号入力画面は、図８に示す暗証番号入力画面が表示される。
本実施例の拡大された暗証番号入力画面では、暗証番号の入力を促す旨の文言等および暗証番号表示欄、暗証番号の入力のための数字キーからなる入力キー、入力の間違いを訂正するための「←」キーの記号キー等は、通常の取引画面と同じサイズで表示される。
【００５５】
このときに、表示される数字キーおよび記号キーの大きさは、通常の取引画面と同様に、１２ｍｍ角で表示され、数字キー間の表示間隔は、拡大された状態の１６ｍｍで表示される。
ステップＳ１０で表示される拡大された出金金額入力画面も同様である。
つまり、本実施例の暗証番号入力画面や出金金額入力画面で拡大されるのは、表示間隔のみであり、数字キー等は、拡大せずに通常と同じサイズで表示される。
このようにすれば、背後等から暗証番号の入力を覗き見されることを防止することができる。
【００５６】
また、利用者が、通常サイズで表示した数字キーを狙って指触する可能性が高くなると共に、タッチパネルによる指触位置の検出は、数字キーの表示領域に、接触痕１３の外接矩形の一部が含まれていれば、その指触を当該数字キーの押下と判定することができ、数字キー種別の誤検出を防止することができる。
【００５７】
以上説明したように、本実施例では、利用者が、手袋の装着等による太い指で操作していると判定したときに、暗証番号入力画面や出金金額入金画面等に表示する、数字キー、漢字キー等の文字キーからなる入力キーの表示間隔を拡大して表示するので、利用者が数字キー等の入力キーを用いて入力するときの指触による押下を円滑にして入力キー種別の誤検出を防止することができ、利用者の利便性を向上させることができると共に、現金自動預払機１の稼働率の向上を図ることができる。
【００５８】
また、入力キーを表示するときに、表示間隔のみを拡大し、中央に表示する数字キー等の入力キーは、拡大せずに通常と同じサイズで表示するので、背後等から暗証番号等の入力を覗き見されることを防止することができると共に、利用者が、通常サイズで表示した通常サイズの入力キーを狙って指触する可能性を高めて、タッチパネルによる指触位置の誤検出を防止することができる。
【００５９】
なお、上記各実施例においては、利用者が素手で操作しているか手袋の装着等による太い指で操作しているかを判定するとして説明したが、これは例示にすぎず、素手であっても算出部１１で算出された接触面積１５が閾値以上であれば記憶部４の表示フラグ格納エリアの表示フラグを「１」に書き換えるようにし、逆に、手袋を装着等していても算出部１１で算出された接触面積１５が閾値以下であれば表示フラグを「０」のままにするようにする。要は、算出部１１で算出された接触面積１５を基に、操作表示部５の表示画面５ａに表示する入力キーを拡大するか否かを判定するようにするとよい。
【００６０】
また、上記各実施例においては、操作表示部５に設ける入力手段は、赤外線方式のタッチパネルであるとして説明したが、抵抗膜方式のタッチパネルを用いるようにしてもよい。このようにした場合には、接触面積１５を接触痕１３そのものの面積とするようにしてもよい。
【符号の説明】
【００６１】
１    現金自動預払機
２    ホストコンピュータ
３    制御部
４    記憶部
５    操作表示部
５ａ  表示画面
６    カード取扱部
６ａ  カード挿入口
７    通帳取扱部
７ａ  通帳挿入口
８    紙幣入出金部
８ａ  紙幣入出金口
９    硬貨入出金部
９ａ  硬貨入出金口
１１  算出部
１３  接触痕
１５  接触面積
【図１】
2019061599.tif 000003
【図２】
2019061599.tif 000004
【図３】
2019061599.tif 000005
【図４】
2019061599.tif 000006
【図５】
2019061599.tif 000007
【図６】
2019061599.tif 000008
【図７】
2019061599.tif 000009
【図８】
2019061599.tif 000010